【手続補正書】
【提出日】平成19年10月16日(2007.10.16)
【手続補正１】
【補正対象書類名】明細書
【補正対象項目名】発明の名称
【補正方法】変更
【補正の内容】
【発明の名称】印刷機及びその制御方法、外部端末装置及びその制御方法、並びに記憶媒体
【手続補正２】
【補正対象書類名】明細書
【補正対象項目名】特許請求の範囲
【補正方法】変更
【補正の内容】
【特許請求の範囲】
【請求項１】  印刷機であって、
前記印刷機に関する機器情報を取得する取得手段と、
前記取得手段によって取得された機器情報を記憶する記憶手段と、
外部端末装置との間に設けられた無線通信手段と、
前記外部端末装置から前記無線通信手段を介して、前記外部端末装置により選択された機器情報の送信を要求する要求情報を受信する受信手段と、
前記記憶手段によって記憶された機器情報から、前記受信手段によって受信された要求情報に含まれる前記外部端末装置により選択された機器情報を読み出して前記外部端末装置に前記無線通信手段を介して送信する送信手段と
を有することを特徴とする印刷機。
【請求項２】  前記印刷機は少なくとも原稿の複写または電子ファイルのプリントまたは原稿の送信の機能を有することを特徴とする請求項１記載の印刷機。
【請求項３】  前記無線通信手段は、赤外線データ通信またはＢｌｕｅＴｏｏｔｈまたはＩＥＥＥ８０２．１１の方式を用いることを特徴とする請求項１または２に記載の印刷機。
【請求項４】  無線通信によって印刷機と通信可能な外部端末装置であって、
印刷機との間に設けられた無線通信手段と、
前記印刷機に前記無線通信手段を介して、前記外部端末装置により選択された機器情報の送信を要求する要求情報を無線により送信する送信手段と、
前記送信手段から送信された要求情報に応じて前記印刷機から前記無線通信手段を介して送信された機器情報を受信する受信手段と、
前記受信手段によって受信された機器情報を表示する表示手段と
を有することを特徴とする外部端末装置。
【請求項５】  印刷機と外部端末装置とから構成される機器管理システムにおいて、
前記外部端末装置により選択された前記印刷機の機器情報を、前記外部端末装置からの無線による要求に応じて、前記印刷機から前記外部端末装置に無線により送信する手段を有することを特徴とする機器管理システム。
【請求項６】  印刷機の制御方法であって、
前記印刷機に関する機器情報を取得する取得ステップと、
前記取得ステップにおいて取得された機器情報を記憶する記憶ステップと、
外部端末装置から、前記外部端末装置により選択された機器情報の送信を要求する要求情報を無線により受信する受信ステップと、
前記記憶ステップにおいて記憶された機器情報から、前記受信ステップにおいて受信された要求情報に含まれる前記外部端末装置により選択された機器情報を読み出して前記外部端末装置に無線により送信する送信ステップと
を有することを特徴とする印刷機の制御方法。
【請求項７】  無線通信によって印刷機と通信可能な外部端末装置の制御方法であって、
前記外部端末装置により選択された機器情報の送信を要求する要求情報を前記印刷機に無線により送信する送信ステップと、
前記送信ステップで送信された要求情報に応じて前記印刷機から無線により送信された機器情報を受信する受信ステップと、
前記受信ステップで受信された機器情報を画面に表示させる表示ステップと、
を有することを特徴とする外部端末装置の制御方法。
【請求項８】  印刷機の制御方法をプログラムとして記憶した、コンピュータにより読み出し可能な記憶媒体において、
前記制御方法が、
前記印刷機に関する機器情報を取得する取得ステップと、
前記取得ステップにおいて取得された機器情報を記憶する記憶ステップと、
外部端末装置から、前記外部端末装置により選択された機器情報の送信を要求する要求情報を無線により受信する受信ステップと、
前記記憶ステップにおいて記憶された機器情報から、前記受信ステップにおいて受信された要求情報に含まれる前記外部端末装置により選択された機器情報を読み出して前記外部端末装置に無線により送信する送信ステップと
を有することを特徴とする記憶媒体。
【請求項９】  無線通信によって印刷機と通信可能な外部端末装置の制御方法をプログラムとして記憶した、コンピュータにより読み出し可能な記憶媒体において、
前記外部端末装置により選択された機器情報の送信を要求する要求情報を前記印刷機に無線により送信する送信ステップと、
前記送信ステップで送信された要求情報に応じて前記印刷機から無線により送信された機器情報を受信する受信ステップと、
前記受信ステップで受信された機器情報を画面に表示させる表示ステップと、
を有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、印刷機及びその制御方法、外部端末装置及びその制御方法、並びに記憶媒体に関する。
【手続補正４】
【補正対象書類名】明細書
【補正対象項目名】０００８
【補正方法】変更
【補正の内容】
【０００８】
【課題を解決するための手段】
上記目的を達成するために、請求項１記載の印刷機は、印刷機であって、前記印刷機に関する機器情報を取得する取得手段と、前記取得手段によって取得された機器情報を記憶する記憶手段と、外部端末装置との間に設けられた無線通信手段と、前記外部端末装置から前記無線通信手段を介して、前記外部端末装置により選択された機器情報の送信を要求する要求情報を受信する受信手段と、前記記憶手段によって記憶された機器情報から、前記受信手段によって受信された要求情報に含まれる前記外部端末装置により選択された機器情報を読み出して前記外部端末装置に前記無線通信手段を介して送信する送信手段とを有することを特徴とする。
【手続補正５】
【補正対象書類名】明細書
【補正対象項目名】０００９
【補正方法】変更
【補正の内容】
【０００９】
請求項４記載の外部端末装置は、無線通信によって印刷機と通信可能な外部端末装置であって、印刷機との間に設けられた無線通信手段と、前記印刷機に前記無線通信手段を介して、前記外部端末装置により選択された機器情報の送信を要求する要求情報を無線により送信する送信手段と、前記送信手段から送信された要求情報に応じて前記印刷機から前記無線通信手段を介して送信された機器情報を受信する受信手段と、前記受信手段によって受信された機器情報を表示する表示手段とを有することを特徴とする。
【手続補正６】
【補正対象書類名】明細書
【補正対象項目名】００１０
【補正方法】変更
【補正の内容】
【００１０】
請求項５記載の機器管理システムは、印刷機と外部端末装置とから構成される機器管理システムにおいて、前記外部端末装置により選択された前記印刷機の機器情報を、前記外部端末装置からの無線による要求に応じて、前記印刷機から前記外部端末装置に無線により送信する手段を有することを特徴とする。
【手続補正７】
【補正対象書類名】明細書
【補正対象項目名】００１１
【補正方法】変更
【補正の内容】
【００１１】
請求項６記載の印刷機の制御方法は、印刷機の制御方法であって、前記印刷機に関する機器情報を取得する取得ステップと、前記取得ステップにおいて取得された機器情報を記憶する記憶ステップと、外部端末装置から、前記外部端末装置により選択された機器情報の送信を要求する要求情報を無線により受信する受信ステップと、前記記憶ステップにおいて記憶された機器情報から、前記受信ステップにおいて受信された要求情報に含まれる前記外部端末装置により選択された機器情報を読み出して前記外部端末装置に無線により送信する送信ステップとを有することを特徴とする。
【手続補正８】
【補正対象書類名】明細書
【補正対象項目名】００１２
【補正方法】変更
【補正の内容】
【００１２】
請求項７記載の外部端末装置の制御方法は、無線通信によって印刷機と通信可能な外部端末装置の制御方法であって、前記外部端末装置により選択された機器情報の送信を要求する要求情報を前記印刷機に無線により送信する送信ステップと、前記送信ステップで送信された要求情報に応じて前記印刷機から無線により送信された機器情報を受信する受信ステップと、前記受信ステップで受信された機器情報を画面に表示させる表示ステップと、を有することを特徴とする。
【手続補正９】
【補正対象書類名】明細書
【補正対象項目名】００１３
【補正方法】変更
【補正の内容】
【００１３】
請求項８記載の記憶媒体は、印刷機の制御方法をプログラムとして記憶した、コンピュータにより読み出し可能な記憶媒体において、前記制御方法が、前記印刷機に関する機器情報を取得する取得ステップと、前記取得ステップにおいて取得された機器情報を記憶する記憶ステップと、外部端末装置から、前記外部端末装置により選択された機器情報の送信を要求する要求情報を無線により受信する受信ステップと、前記記憶ステップにおいて記憶された機器情報から、前記受信ステップにおいて受信された要求情報に含まれる前記外部端末装置により選択された機器情報を読み出して前記外部端末装置に無線により送信する送信ステップとを有することを特徴とする。
【手続補正１０】
【補正対象書類名】明細書
【補正対象項目名】００１４
【補正方法】変更
【補正の内容】
【００１４】
請求項９記載の記憶媒体は、無線通信によって印刷機と通信可能な外部端末装置の制御方法をプログラムとして記憶した、コンピュータにより読み出し可能な記憶媒体において、前記外部端末装置により選択された機器情報の送信を要求する要求情報を前記印刷機に無線により送信する送信ステップと、前記送信ステップで送信された要求情報に応じて前記印刷機から無線により送信された機器情報を受信する受信ステップと、前記受信ステップで受信された機器情報を画面に表示させる表示ステップと、を有することを特徴とする。
【手続補正１１】
【補正対象書類名】明細書
【補正対象項目名】００１５
【補正方法】削除
【補正の内容】